(57)【特許請求の範囲】
【請求項１】
室内機と室外機を分離して設置するエアコンの前記室内機の熱交換器アルミフィンを屋内に設置した状態で洗浄する洗浄方法において、
前記エアコンの既設のドレイン配管を前記室内機から取り外し、
前記エアコンに、上面開放形下部漏斗形状である軟質防水性のビニールシートの洗浄カバーと、洗浄後の廃液を回収するビニールチューブが接続された排水ポンプを装備し、
前記既設のドレイン配管に前記ビニールチューブを接続し、
前記洗浄カバー内に回収した洗浄後の前記廃液を洗浄の対象とする前記エアコンの前記既設のドレイン配管に前記ビニールチューブを介して前記排水ポンプで送水することを特徴とする洗浄方法。
【発明の詳細な説明】
【技術分野】
【０００１】
本発明は、室内機と室外機とに分離した天井埋込形あるいは天井吊形のエアコン（以下、エアコンと略す）の熱交換器アルミフィン（以下、アルミフィンと略す）を高圧洗浄機で薬液を噴射して洗浄するに際して、洗浄後の廃液を受け止めるための漏斗状のホッパー（以下、洗浄カバーと言う）を用いて洗浄する方法に関する。
【背景技術】
【０００２】
建築物の大きさ及び部屋の大きさ、各部屋の使用用途は様々である。これらの様々な設置環境に適合する、冷房・暖房能力及び形状の異なる多種類のエアコンがエアコンメーカから発売されている。
一般に、これらのエアコンは１〜２年間使用するとアルミフィンは汚れて熱効率が悪くなる。またカビ汚染等の衛生管理面からも薬液を使用して高圧洗浄機で洗浄する必要がある。
【０００３】
近年、室内に設置した状態で、高圧洗浄機を使用して薬液を噴射してエアコンのアルミフィンを洗浄する方法が多くの事業者から各種類提案され、事業として発展している。家庭用壁掛形エアコン、業務用の各種類のエアコンに対応した洗浄方法が提案されている。
【０００４】
以下、特許文献１に掲載してある図面により業務用エアコンの洗浄方法の背景技術を説明する。
特許文献１に記載の図１は、洗浄カバー１を使用して天カセエアコン１５のアルミフィンを高圧洗浄機で洗浄している作業の説明図である。
図１において、天カセエアコン室内機のアルミフィンを室内に設置した状態で高圧洗浄機を使用して薬液を噴射する方法では、まず作業者が室内機内部の構成部品、送風ファン、ドレンパン等を取り外す必要がある。続いて、室内機筐体１５を囲むように筐体周辺に洗浄カバー１を装着する。洗浄カバー１の底部に設けた接続部材６と排水チューブ１０を連結、排水チューブ１０を介してバケツ１２に洗浄後の廃液を回収する。なお、図１において、１３は天井を１４は仮天井を示し、１３と１４の空間に天カセエアコン１５は設置されている。
【０００５】
上記以外にも、特許文献２、特許文献３などが出願されている。文献２は、天カセエアコンに洗浄カバーを取り付ける際に洗浄カバーと筐体とに隙間を生じることなく、廃液の漏洩がないように密着して取り付けるように工夫し、かつ着脱自在になるようにしたものである。
特許文献３は、壁掛形エアコンの洗浄カバーと洗浄方法に関するものである。
上記したいずれの洗浄カバーも洗浄工程における廃液の回収方法は、洗浄カバーの底部に排水チューブを連結できる接続部材があり、廃液回収用のバケツ６を用意するものである。
【先行技術文献】
【特許文献】
【０００６】
【特許文献１】特許第3325259号  公報
【特許文献１】特開平04-363597号  公報
【特許文献１】特開平09-119797号  公報
【発明の概要】
【発明が解決しようとする課題】
【０００７】
図１に示す洗浄方法においては、業務用のエアコン、特に大型でアルミフィンの汚れが酷い場合、洗浄後の廃液は  １００〜  ３００リットル程度となり、容量３０リットル程度の廃液回収用バケツで４〜１０回分を回収、満水のバケツの廃液は指定された下水溝等に運ぶ労力が必要であった。大型ビル、工場等の大型施設では、廃液処理の下水溝は遠方にある場合があり、多くの労力が必要であった。
【０００８】
また、洗浄作業中に廃液が洗浄カバー１の外側の周辺に漏れていないか、あるいはバケツに溜まる廃液がバケツ１２から周辺に溢れでないか等の細心の注意を図りながら作業者は洗浄作業を行う必要があった。
特に、工場の生産ラインに設置のエアコンの場合は、エアコンの真下に精密機械等がある場合には、前記した不安を大きく感じることがある。また食品工場等の場合は、衛生管理上の注意で汚れている廃液を生産ラインに漏らすことは厳禁である。
【０００９】
エアコン洗浄後、既設ドレンパイプの詰まりによる水漏れのトラブルに遭遇することを経験している。トラブル防止策として、湿式掃除機で既設のドレン配管内の汚水を吸引する方法を採用している。
【課題を解決するための手段】
【００１０】
本発明では、上記の課題を克服した形状の洗浄カバー３１を考案し、安心して能率よく洗浄作業を行える天カセエアコン及び天吊エアコン用の洗浄カバーと洗浄工程における新規な廃液の処理方法を提供するにある。
【００１１】
本発明の要点を説明する。
考案した洗浄カバーには、排水チューブ１０を接続するための接続部材を設けてない。したがって、廃液回収のバケツ１２も必要ない構成とする。
【００１２】
洗浄カバー３１の底面は完全防水とする。洗浄工程における廃液回収は、別途ドレンポンプ２５（例えば、全自動洗濯機に付帯するふろ水回収用のバスポンプ、株式会社ミツギロン製、湯ポポンMG-10）を使用して、洗浄対象の天カセエアコンのドレンパン２１に接続してある既設のドレン配管３０に洗浄工程における廃液２９を送水する構成である。
【発明の効果】
【００１３】
上記したように本発明では、下部面は防水構造の漏斗状の洗浄カバー３１を考案した。別途、用意した排水ポンプ２５を利用して、天カセエアコン用の既設のドレン配管３０に洗浄工程における廃液２９を送水する構成とした。したがって、洗浄後の廃液処理が無くなったので、従来よりも安全に安心して能率よく作業ができるので、作業者の作業負担を大きく軽減する効果がある。
【００１４】
また、当該洗浄方法を採用することにより、既設ドレン配管３０の詰まり状況の検査機能としての役割がある。洗浄後の廃液を既設のドレン配管３０に送水、スムーズに流れなかった場合は既設ドレン配管を清掃することにより、既設ドレン配管３０の詰まりのトラブルを防止する効果がある。
【００１５】
さらに、従来洗浄装置を構成する洗浄カバー１では、複雑な加工が必要であった排水チューブ１０の接続部材６をなくした単純なビニール加工としたので、洗浄カバーの加工時間を短く、低費用で製造出来る効果がある。排水チューブ１０及び接続部材６の費用も不用となる効果がある。
【図面の簡単な説明】
【００１６】
【図１】従来技術を説明するために引用した特許文献１掲載の図面
【図２】本発明を説明するための構成図、正面図
【図３】本発明の洗浄カバーの平面図
【発明を実施するための最良の形態】
【００１７】
図２は、実施のための構成図である。
図２において、天カセエアコン１５の内部を断面図で示している。天カセエアコン１５の内部にはドレンパン２１、天カセエアコンの既設のドレンポンプ２２、アルミフィン２３、既設のドレンポンプ２２に連結してあった排水ホース２４を示している。
【００１８】
排水ホース２４は、天カセエアコンの動作時にはドレンポンプ２２に接続されている。アルミフィン２３の洗浄時は取り外して、排水ポンプ２５に連結されたビニールチューブ２６に接続する。
【００１９】
このような構成の洗浄装置にすることにより、排水ポンプ２５の電源部２８のスイッチを入りにすれば、洗浄後の廃液２９を吸上げて、ビニールチューブ２６を通して、既設のドレン配管３０に送水される。なお、排水ポンプ２５の電源コード２７は、電源部２８に接続され、電源部２８のプラグを１００ボルトコンセントに差し込んで使用する。電源部２８は排水ポンプ部と分離されており、洗浄カバー３１のチェーン３２に引っ掛けて使用できるＳ字フックが付いている。
【００２０】
図３は、洗浄カバー３１の平面図である。考案した洗浄カバー３１は、上面解放形下部漏斗形状、軟質防水性のビニールシートである。ビニールシートの標準サイズは、約横幅２０００×高さ８００奥行き１０００（単位ｍｍ）である。食品工場等に設置の大型のユニットクーラに対応する場合は、横幅を３０００ｍｍ程度が必要である。なお、底部はビニール溶着加工で完全防水となっている。
【００２１】
洗浄カバー３１の４隅には、５００〜１０００長さのチェーン３２を装着する。チェーン３２の先端にはＳ字フック（先端Ｓ字フックと称す）を備え、Ｓ字フックを天カセエアコン１５の吊金棒４１に引っ掛けて使用する。
洗浄カバー３１の奥行方向の両サイドには、面ファスナーのオス３３とメス３４をそれぞれ溶着してある。横幅方向の両サイドには、ハトメの孔をそれぞれ４か所空けてある。開口部の小さな天カセエアコンを洗浄する際に、ハトメの孔にリングフックを引っ掛けて狭めて使用するものである。
【産業上の利用可能性】
【００２２】
当該発明は、業務用以外の家庭用壁掛形エアコン等にも適用できる。
【符号の説明】
【００２３】
１        従来の洗浄方法の洗浄カバー
６        洗浄カバーの底部、接続部材
１０      排水チューブ１０
１２      バケツ
１５      天井埋込形エアコン筐体部
２１      ドレンパン
２２      天井埋込形エアコンのドレンポンプ
２４      ドレンポンプの排水ホース
２５      排水ポンプ（バスポンプを利用）
２６      排水ポンプのビニールチューブ（廃液回収用）
２８      排水ポンプの電源部
３０      エアコンに連結した既設のドレン配管
３１      考案した洗浄カバー
３２      チェーン（洗浄カバーの4隅に取り付ける）
３５      先端Ｓ字フック
４１      吊金棒 
【要約】
【課題】
近年、エアコンを設置した環境で、内部部品を分解、除去し、エアコンの筐体全体を覆う洗浄カバーと高圧洗浄機で熱交換器アルミフィンを洗浄する事業が発展している。洗浄カバーの底部に排水ホースを接続、バケツで洗浄後の廃液を回収する方法が主流である。  
【解決手段】
本発では、従来の廃液をバケツで回収する方法とは異なる、すなわち洗浄カバーの底部は完全防水、バケツ不要の洗浄装置の洗浄カバーを考案した。洗浄工程の廃液は、バスポンプで回収、既設のドレン配管に送水することで解決した。新規な洗浄カバーとその使用方法の提供である。
【選択図】  図２【図１】
0006911264.tif 000002
【図２】
0006911264.tif 000003
【図３】
0006911264.tif 000004